(57)【要約】【課題】既設あるいは新設の構造物の杭基礎に対して鉛直荷重の増加を生じさせることなく、地震時に既設杭に作用する水平力を低減させることが可能な耐震補強構造を提供する。【解決手段】杭基礎構造物のフーチング３の外周面を囲むように、絶縁層２０を介して地震時水平方向力を負担する水平変位抑止枠構造１０を構築する。水平変位抑止枠構造１０としては、たとえば立壁部が絶縁層２０を介してフーチング３の外周面を囲むように構築された擁壁構造１１とすることができる。この耐震補強構造において、地震力が作用すると、擁壁構造１１がその底版の下面の地盤面との摩擦により地震時水平方向力に抵抗するので、既設杭２の水平方向力負担が軽減される。【選択図】  図１
2004162362.tif 000002
【特許請求の範囲】
【請求項１】
杭基礎構造物のフーチングの外周面を囲むように、絶縁層を介して地震時水平方向力を負担する水平変位抑止枠構造を構築したことを特徴とする杭基礎構造物の耐震補強構造。
【請求項２】
前記水平変位抑止枠構造は、立壁部が前記絶縁層を介して前記フーチングの外周面を囲むように構築された擁壁構造からなり、該立壁部と一体構築された底版の下面と地盤面との底面摩擦により地震時水平方向力に抵抗するようにしたことを特徴とする請求項１に記載の杭基礎構造物の耐震補強構造。
【請求項３】
杭基礎構造物のフーチングの外周面を囲むように、絶縁層を介して地震時水平方向力を負担する改良体ブロックを造成し、該改良体ブロックの底面と地盤面との境界面摩擦により地震時水平方向力に抵抗するようにしたことを特徴とする杭基礎構造物の耐震補強構造。
【請求項４】
前記改良体ブロックは、前記フーチングの外周面を囲むように、絶縁層として打設された鋼矢板で画成された内側地盤を改良してなることを特徴とする請求項３記載の杭基礎構造物の耐震補強構造。
【請求項５】
前記絶縁層で、前記水平変位抑止枠構造あるいは前記改良体ブロックの自重に起因する面外せん断力の前記フーチングへの伝達が遮断されるようにしたことを特徴とする請求項１乃至請求項４のいずれか１項に記載の杭基礎構造物の耐震補強構造。
【発明の詳細な説明】
【０００１】
【発明の属する技術分野】
本発明は杭基礎構造物の耐震補強構造に係り、既設あるいは新設の構造物の杭基礎に対して鉛直荷重の増加を生じさせることなく、地震時に既設杭に作用する水平力を低減させることのできる杭基礎構造物の耐震補強構造に関する。
【０００２】
【従来の技術】
高架橋の橋脚の杭基礎構造等では、設計当初の構造物重量及び地震時荷重に対して十分な耐力と靱性が確保できるように構造設計が行われ、基礎フーチングの寸法、杭径、本数等の諸元が決定されているが、供用後に従前より厳しく耐震設計基準が改正されたり、上部工の増設等により設定荷重が増加した場合、杭基礎構造における所要の地震時耐力等の確保が困難となる場合がある。
【０００３】
このような場合に対して既設構造物基礎では既存構造に付加するかたちで各種の耐震補強が行われている。図１４〜図１６は従来の基礎構造物の耐震補強構造の一例を示した一部断面図である。図１４は、既設フーチング５０の外周を囲むように増設フーチング５１を一体化させた増し杭構造による耐震補強構造の一例を示している。この増し杭構造では、既設杭５２と同等耐力の新設杭５３を打設するとともに、杭頭を固定するための増設フーチング５１が既設フーチング５０の側面に多数のアンカー筋等のせん断負担材５４を介して一体的に接合されている。これにより既設部に加え、新設杭５３及び一体的に拡幅されたフーチング５０，５１により鉛直荷重、地震時の水平荷重を負担するようになっている。
【０００４】
図１５は、増設フーチング５１の下方の地中部に、既設杭５２の杭頭周囲を囲むように地中連続壁５５を造成した耐震補強構造の一例を示している。この耐震補強構造では同図に示したように、既設杭５２を囲むように、増設フーチング５１と一体的に造成された地中連続壁５５が地震時に作用する水平方向力を負担し、地中連続壁５５で囲まれた地盤内に位置する既設杭５２の杭頭への水平方向力の作用を低減できるようになっている。
【０００５】
これらの耐震補強構造例では、構造物に作用する水平力を新設杭や地中連続壁に伝達するため、杭や地中連続壁を既存のフーチングと剛結する必要があるため、多数のアンカー等を介して拡幅部の増設フーチングを既設フーチングに一体化させる必要があり、煩雑な増設工事を要する。また、増設フーチングによる基礎平面が拡幅されるため、土地の制限を受ける場合がある。さらに新設杭、地中連続壁の施工に、大型の施工機械が必要となり、特に高架橋下などのように工事のための架空制限を受ける場所では適切な施工ができないこともある。また、図１５に示した地中連続壁では、地中連続壁が構造上十分な鉛直支持力を有しないため、耐震補強工の重量分だけ既設杭の軸力が増加し過度な応力状態が生じるという問題もある。
【０００６】
これに対して、十分な水平方向支持力と鉛直支持力とを備えた耐震補強構造の例として既設フーチング６０の周囲に、大径の地盤改良体６２を造成するとともに、この地盤改良体６２内に既製杭６３を打設した複合杭を施工し、それらの杭頭を増設フーチング６１で固定し、増設フーチング６１を既設フーチング６０に一体化させることで、水平方向、鉛直方向に十分な支持力が得られる耐震補強構造が提案されている（図１６，たとえば特許文献１参照）。
【０００７】
【特許文献１】
特開２００２−１８８１５７公報（第４頁の記載）
【０００８】
【発明が解決しようとする課題】
ところで、上述の先行技術文献情報に開示された耐震補強構造は、図１６に示したように、既設フーチングの外周に高圧噴射撹拌工法によって造成された大径の改良体内に既製杭を打設することで、既製杭の鉛直支持力を改良体で負担するようにしたので、新設杭を支持層まで到達させることなく、鉛直支持力を負担できるようにしている。このため、改良体頭部、既製杭頭部の固定を行うために十分剛性の高い増設フーチングを既設フーチングと一体的に構築する必要がある。既設フーチングの周囲に施工される改良体、既製杭、及び増設フーチングとが一体となった耐震補強構造とする各部材を施工し、さらにそれぞれを一体化させる多くの施工工程を要する。また、高架下等においては既製杭の長さ等の制限を受けるため、施工できないケースもあり得る。
【０００９】
そこで、本発明の目的は上述した従来の技術が有する問題点を解消し、簡易な耐震補強構造により既設フーチングの杭基礎に作用する地震時水平方向力の負担低減を図れるようにした杭基礎構造物の耐震補強構造を提供することにある。
【００１０】
【課題を解決するための手段】
上記目的を達成するために、本発明は杭基礎構造物のフーチングの外周面を囲むように、絶縁層を介して地震時水平方向力を負担する水平変位抑止枠構造を構築したことを特徴とする。
【００１１】
あるいは前記水平変位抑止枠構造は、立壁部が前記絶縁層を介して前記フーチングの外周面を囲むように構築された擁壁構造からなり、該立壁部と一体構築された底版の下面と地盤面との底面摩擦により地震時水平方向力に抵抗させることが好ましい。
【００１２】
杭基礎構造物のフーチングの外周面を囲むように、絶縁層を介して地震時水平方向力を負担する改良体ブロックを造成し、該改良体ブロックの底面と地盤面との境界面摩擦により地震時水平方向力に抵抗させることが好ましい。
【００１３】
この改良体ブロックは、前記フーチングの外周面を囲むように、絶縁層として打設された鋼矢板で画成された内側地盤を改良して構築することが好ましい。
【００１４】
上述の絶縁層によって、前記水平変位抑止枠構造あるいは前記改良体ブロックの自重に起因する面外せん断力の前記フーチングへの伝達が遮断されるようにすることが好ましい。
【００１５】
【発明の実施の形態】
以下、本発明の杭基礎構造物の耐震補強構造の一実施の形態について、添付図面を参照して説明する。図１は既設構造物としての橋脚基礎のフーチングの外周に構築された本発明の耐震補強構造の一部を切欠いて示した斜視図で、図２は同正面図及び平面図である。図１において、既設構造物１は、本実施の形態では、縦横に等間隔をあけて打設された９本の杭２（図２（ｂ）参照）と、この杭２の杭頭を固定してなる平面視して矩形形状をなす鉄筋コンクリート製の基礎フーチング（既設フーチング）３と、この既設フーチング３上に一体的に立設された鉄筋コンクリート柱４とからなる。そしてこの既設構造物１の基礎フーチング３の外周を囲んでに耐震補強構造が構築されている。なお、以下の説明では既設構造物１の基礎フーチング３の耐震補強を例に説明を行っているが、新設構造物の基礎フーチングに本発明の耐震補強構造を適用することも有効であることは言うまでもない。
【００１６】
耐震補強構造は、図１に示したように耐震補強の対象となる既設杭基礎構造物１の基礎フーチング３の外周を取り囲むように構築された基礎水平変位抑止枠構造１０と、該基礎水平変位抑止枠構造１０と既設フーチング３との間に形成された絶縁層２０とから構成されている。
【００１７】
本実施の形態による基礎水平変位抑止枠構造１０は、図１，図２に示したような断面形がＬ型をなす鉄筋コンクリート製の擁壁構造１１からなる。立壁１２の前面は、既設フーチング３の外周面に面し、その高さはフーチング厚さに等しく、所定の底版長さを有する。また既設フーチング３の外周面を完全に囲むように設けられている。なお、立て壁１２の高さと底版１３の長さとは基礎水平変位抑止枠構造１０の目標抵抗値により適宜設定され、その断面形状が決定される。すなわち、基礎水平変位抑止枠構造１０が、図１に示したような擁壁構造１１である場合には、その立壁１２の高さおよび底版１３の底面積を、耐震補強構造において必要とされる水平抵抗力に応じて適宜に設定すればよい。すなわち、大きな水平抵抗力を必要とする場合には底版１３の底面積を広くするか、立壁１２の高さを高くすればよい。
【００１８】
絶縁層２０は、基礎水平変位抑止枠構造１０の立壁１２の前面と既設フーチング３の側面との間の全面に形成された、両部材間での鉛直方向の面外せん断力の伝達を絶縁することを意図して設けられた要素である。したがって、基礎水平変位抑止枠構造１０の自重はその底版１３のみで支持され、既設構造物１の杭２には伝達されない構造になっている。絶縁層２０は本実施の形態では、アスファルト充填層からなり、このアスファルト充填層は鉛直方向に生じる両部材間の位相変位を完全に吸収できる変形能力を期待できる。絶縁層２０を構成する絶縁材料としては、アスファルト等の瀝青材料の充填材料の他、せん断変形性が十分大きい各種ゴム系材料、ゴム系エラストマー等の弾性部材を既設フーチング３の側面に固着するようにして絶縁層２０を形成するようにしてもよい。
【００１９】
これら基礎水平変位抑止枠構造１０と絶縁層２０を施工する手順の一例としては、まず基礎水平変位抑止枠構造１０の底版１３の施工範囲を考慮して決定された既設フーチング３の周囲の地盤の所定範囲で掘削する。このとき地盤状態に応じて土留め工等を施し、掘削空間の確保を図ることが好ましい。次いで既設フーチング３の外周面に絶縁層２０を施工する。この絶縁層２０の施工は、絶縁材料の相違によっては既設フーチング３との間に所定幅（厚さ）の空隙を設けて擁壁構造１１を構築し、その後、空隙に絶縁材料を充填することもできる。擁壁構造１１は現場施工の鉄筋コンクリート構造としてもよいし、プレキャストコンクリート製品を搬入して全体をＰＣ鋼材等を用いて一体構造とさせることもできる。最終的に掘削土を再利用して擁壁構造１１の背面部分を埋戻して埋戻し土１５と擁壁構造１１とを一体化させ、基礎水平変位抑止枠構造１０を完成させる。
【００２０】
ここで、図２（ａ）を参照して、地震時における基礎水平変位抑止枠構造１０の作用について説明する。基礎水平変位抑止枠構造１０としては、上述の擁壁構造１１とその背面の底版１３上の埋戻し土１５を合わせたものが相当する。すなわち、地震時に既設構造物に水平方向力が作用すると、既設フーチング３の側面で対向する擁壁構造１１の立壁１２を押圧する。このとき擁壁構造１１の底版１３の底面と地盤との間には所定の摩擦力が生じ、この摩擦力の分だけ杭２が負担する水平方向力が低減される。すなわち既設の杭２の耐力を越えた分の水平方向力の負担が可能となり、既設杭基礎構造物１の耐震性が向上する。基礎水平変位抑止枠構造１０としての擁壁構造１１の底面に作用する摩擦力の限界値は、砂地盤では擁壁構造１１の自重と埋戻し土１５の重量の和に摩擦係数を乗じたものとなる。粘性土地盤では、地盤の粘着力と摩擦力の小さい方で決まる。
【００２１】
図３は、上述した耐震補強構造において、基礎水平変位抑止枠構造１０の底面摩擦が負担する水平荷重と、既設フーチングの杭が負担する水平荷重とを比較した解析結果である。同図に示したように、基礎水平変位抑止枠構造１０の底面摩擦は、既設杭に比べ、一般に小さな変位で発揮されるので、既設杭に作用する水平方向力を効率的に低減できる。また基礎水平変位抑止枠構造１０を、既設フーチング３の外周全体を囲むように構築することにより、枠構造と既設基礎とが乖離することなく、安定した耐震性能を発揮できる。
【００２２】
［基礎水平変位抑止枠構造の断面形状］
以上述べたように、基礎水平変位抑止枠構造１０としてその作用を十分発揮させるためには、基礎水平変位抑止枠構造１０としての鉛直荷重を十分大きくすることと、その底面と地盤面との間で十分大きな底面摩擦を確保することが重要である。図４各図は、基礎水平変位抑止枠構造の断面形状として、想定される各種断面形状を示した断面図である。図１で示したような擁壁構造１１の断面（図４（ａ））では、擁壁構造１１の重量と底版１３上の埋戻し土１５の土被り重量の和が鉛直荷重となり、摩擦係数μを考慮して底面摩擦が決定される。
【００２３】
このとき基礎水平変位抑止枠構造として十分な鉛直荷重を得るためには、たとえば図４（ｂ）に示したような矩形断面形状の中実重量構造１８とすることが好ましい。この場合にも中実重量構造構造１８は、その内側面が絶縁層２０を介してフーチング３の外周面を囲むように構築されている。この中実重量構造１８は、自重が擁壁構造１１の重量と底版１３上の埋戻し土１５の土被り重量の和より大きくなるので、中実重量構造１８の底面１８ａと地盤面との摩擦は、擁壁構造１１（図４（ａ））底版１３の底面１３ａと地盤面との摩擦より大きくなる。
【００２４】
また、既設杭構造物に対して、設置される基礎水平変位抑止枠構造の水平方向力の負担が十分見込まれるならば、図４（ｃ），（ｄ）に示したようなスラブ構造１９を基礎水平変位抑止枠構造１０として採用することもできる。この場合、図４（ｃ）に示したスラブ構造１９では、埋戻し土１５の重量との和により鉛直荷重が決定するが、スラブ構造１９の底面１９ａと地盤面との摩擦が十分とれることが明らかな場合には地表面位置にスラブ構造１９を設置し、スラブ構造１９のみによることも可能である（図４（ｄ））。このように、基礎水平変位抑止枠構造の断面形状は、地盤面との間の摩擦により得られる目標抵抗が満たされることを前提に、種々の断面形状、寸法とすることができる。
【００２５】
基礎水平変位抑止枠構造１０としての擁壁構造１１は、地震時に既設構造物から作用する水平方向力に対して地盤面に対して所定の摩擦抵抗を発揮し、既設フーチング３を囲む枠体構造として一様に剛体変位するような剛性を有する必要がある。そのため、上述したＬ型擁壁において立壁１２の剛性が不足するおそれがある場合には立壁１２の背面に控え壁１６を設けることが好ましい（図５（ａ））。また、十分な剛性を確保するためには、上方が開放された箱形断面１７とし、内部に埋戻し土１５を充填する断面形状とすることが好ましい。
【００２６】
［底面摩擦の増加、水平変位の拘束手段］
図６各図は基礎水平変位抑止枠構造１０の底面摩擦の増加を図るための構成を示している。図６（ａ）は基礎水平変位抑止枠構造１０の一実施の形態としての擁壁構造１１において、その底版１３下の地盤面に割栗石３０を敷設し、底版１３との摩擦増加を図った例を示している。図６（ｂ）は、擁壁構造１１の底版１３との境界地盤に地盤改良層３１を設け、底版１３の底面にせん断キーとしての突起１３ｂを形成して地盤面に対するせん断抵抗を増加させるようにした例を示している。上述の構成により底面摩擦の増加を図ることにより、既設フーチング３の杭２の水平抵抗負担分を大幅に低減することができる。また、地震時に既設フーチング３を介して擁壁構造１１に加わる水平方向力による基礎水平変位抑止枠構造１０の変位を積極的に拘束する手段として、図７各図に示した構成を採用することもできる。すなわち、図７（ａ）は擁壁構造１１の底版１３下に短杭３２を打設し、短杭の杭頭を底版１３に固定した構造を示している。この場合、短杭３２が鉛直荷重を支持して底面摩擦が減少しないように、杭周面に摩擦低減処理を行うことが好ましい。図７（ｂ）は比較的低い立壁１２を有する擁壁構造１１とし、底版１３からその下部の地盤にかけてアンカーボルト３３を所定の傾角で打設し、各アンカーボルト３３に水平方向分力を負担させるようにした例を示している。なお、地震力作用時には、擁壁構造１１から外周に向けて打設されたアンカーボルト３３のうち、引張材として作用する方向に位置するアンカーボルト３３が有効に機能する。
【００２７】
図８は、既設フーチング３と擁壁構造１１との間に形成される絶縁層２０の変形例を示している。以上の説明では絶縁層２０には変形性能の高い絶縁材料が充填されるとしたが、この既設フーチング３と擁壁構造１１との離隔を十分にとり、その隙間部分に砕石２１を密に充填し、水平方向に関しては押しつぶされる砕石２１間の噛み合うことにより水平方向力が伝達され、鉛直方向には所定のせん断面で砕石２１の噛合いが解放した状態で鉛直方向荷重の絶縁が達成される。
【００２８】
図９，図１０は基礎水平変位抑止枠構造１０の他の発明として、上述の擁壁構造１１に代えて既設フーチング３の外周を囲むように区画された範囲に改良体ブロック３５を造成し、この改良体ブロック３５で水平抵抗力を発揮させるようにした例を示している。すなわち、この基礎水平変位抑止枠構造１０では、既設フーチング３の外周を掘削せずに、既設フーチング３の外周を２重締切工のように、所定の深度まで鋼矢板３６，３７で包囲し、２重に囲まれた地盤内を地盤改良することで改良体ブロック３５が造成されている。この改良体ブロック３５の底面３５ａと原地盤の間の境界面で摩擦作用が発揮される。このとき図１０に示したように、既設フーチング３の側面に沿って打設される内側鋼矢板３６のフーチング接触面側には絶縁層２０として機能する樹脂被覆２２等を施し、鉛直方向の摩擦を低減することが好ましい。また既設フーチング３の周囲に薄い非改良層を残す方法も可能である。
【００２９】
図１１は、地盤沈下の恐れがない場所で、擁壁構造１１の底面積を拡幅せずに底面摩擦を増加させるために、鉛直グラウンドアンカー３８を併用した変形例を示している。このとき、アンカー定着部３８ａは支持層５に到達するようにすることが好ましく、導入アンカー力を調整することにより、アンカー頭部３８ｂを支持する枠体構造３９の底面３９ａと地盤面との底面摩擦の適宜調整することができる。
【００３０】
図１２，図１３は既設構造物が構築された敷地において、構造物の一部が敷地境界等に隣接し、地下構造物の構築余裕がない場合を想定した基礎水平変位抑止枠構造１０の変形例を示している。図１３は図１２の平面図であるが、既設構造物のフーチングの一辺Ａが敷地境界Ｌに接しているため、一辺Ａでは擁壁構造１１の立壁１２のみが構築され、その分、他の擁壁構造１１の底版１３の底面積を増加させることにより、基礎水平変位抑止枠構造１０としての全底面積を確保している。
【００３１】
【発明の効果】
以上に述べたように、本発明によれば、比較的簡易に構築できる基礎水平変位抑止枠構造が地震時の水平方向力を十分負担することできるため、既設構造物の杭基礎に対して鉛直荷重の増加を生じさせることなく、地震時に既設杭に作用する水平力を低減させることのできるという効果を奏する。
【図面の簡単な説明】
【図１】本発明による杭基礎構造物の耐震補強構造の一実施の形態を示した斜視図。
【図２】本発明の杭基礎構造物の耐震補強構造の一例を示した正面図、平面図。
【図３】本発明の耐震補強構造の底面摩擦と既設杭の水平荷重の負担の関係を示したグラフ。
【図４】基礎水平変位抑止枠構造の断面形状例を示した部分横断面図。
【図５】基礎水平変位抑止枠構造の変形例を示した部分断面図。
【図６】絶縁層の変形例を示した部分断面図。
【図７】擁壁構造の底版の底面摩擦の増加方法について示した部分断面図。
【図８】擁壁構造の底版の底面摩擦の増加方法について示した部分断面図。
【図９】基礎水平変位抑止枠構造の変形例を示した部分断面図。
【図１０】図９に示した基礎水平変位抑止枠構造の平面図。
【図１１】基礎水平変位抑止枠構造の変形例（アンカー）を示した部分断面図。
【図１２】基礎水平変位抑止枠構造の変形例（境界隣接時）を示した部分断面図。
【図１３】図１２に示した基礎水平変位抑止枠構造及び敷地境界を併示した平面図。
【図１４】従来の耐震補強構造（増し杭方式）の一例を示した部分断面図。
【図１５】従来の耐震補強構造（連壁方式）の一例を示した部分断面図。
【図１６】従来の耐震補強構造（複合杭方式）の一例を示した部分断面図。
【符号の説明】
１  既設構造物
２  杭
３  既設フーチング（基礎フーチング）
１０  基礎水平変位抑止枠構造
１１  擁壁構造
１２  立壁
１３  底版
１５  埋戻し土
１８  中実重量構造
１９  スラブ構造
２０  絶縁層
３５  改良体ブロック
【図１】
2004162362.tif 000003
【図２】
2004162362.tif 000004
【図３】
2004162362.tif 000005
【図４】
2004162362.tif 000006
【図５】
2004162362.tif 000007
【図６】
2004162362.tif 000008
【図７】
2004162362.tif 000009
【図８】
2004162362.tif 000010
【図９】
2004162362.tif 000011
【図１０】
2004162362.tif 000012
【図１１】
2004162362.tif 000013
【図１２】
2004162362.tif 000014
【図１３】
2004162362.tif 000015
【図１４】
2004162362.tif 000016
【図１５】
2004162362.tif 000017
【図１６】
2004162362.tif 000018